(57)【要約】【課題】携帯端末を利用してその携帯端末のユーザの安否を確認するための安否確認システムを提供する。【解決手段】被保護者の携帯電話１０２は、所定時間内に所定の携帯電話の操作等を検出することで、一定時間間隔で保護者の情報通信端末へ「異常なし」を通知するメールを送信する（Ｓ３）。保護者の携帯電話１０４では、「異常なし」を通知するメールが被保護者の携帯電話１０２から所定時間以上受信されない場合には、被保護者に何らかの異常が発生した可能性があることを検出し、報知する（Ｓ４）。【選択図】図４
2008098744.tif 000002
【特許請求の範囲】
【請求項１】
当該携帯端末に対して所定操作がなされたことを検出する検出手段と、
所定時間内に、前記検出手段において前記所定操作がなされたことが検出されると、前記所定時間経過後に、他の装置に対して、その旨を通知するメールである異常なし通知メールを送信するメール送信制御手段とを備え、
前記メール送信制御手段は、前記所定時間ごとに前記異常なし通知メールを生成し、前記他の装置に対して送信する、携帯端末。
【請求項２】
前記所定時間を変更する変更手段をさらに備える、請求項１に記載の携帯端末。
【請求項３】
前記他の装置において異常の発生を判断するために用いられるしきい値である判断時間を格納する手段と、
前記検出手段において、前記判断時間よりも短い所定時間内に前記所定操作が検出されない場合に、その旨を通知する手段とをさらに備える、請求項１に記載の携帯端末。
【請求項４】
許可されたユーザであるか否かを認証する認証手段を備え、
前記メール送信制御手段は、前記検出手段において前記判断時間の間前記所定操作が検出されない場合に、前記認証手段において許可されたユーザであることが認証されるまで、前記異常なし通知メールの送信を制限する、請求項３に記載の携帯端末。
【請求項５】
未送信の前記異常なし通知メールを格納する未送信メール格納手段をさらに備え、
前記メール送信制御手段は、前記未送信メール格納手段に前記未送信の前記異常なし通知メールが格納されている場合に、前記未送信の異常なし通知メールを送信する、請求項１に記載の携帯端末。
【請求項６】
電池残量がしきい値以下であるか否かを検出する手段をさらに備え、
前記メール送信制御手段は、前記電池残量が前記しきい値以下であることが検出されると、その旨を通知するメールを生成し、前記他の装置に対して送信する、請求項１に記載の携帯端末。
【請求項７】
前記異常なし通知メールを、所定期間、前記他の装置に対して送信しないように設定する手段をさらに備え、
前記メール送信制御手段は、前記他の装置に対して、前記設定がなされたことを通知するメールを生成し、送信する、請求項１に記載の携帯端末。
【請求項８】
前記メール送信制御手段で生成される前記メールには、前記所定期間の終了時点を示す情報が含まれる、請求項７に記載の携帯端末。
【請求項９】
前記所定操作は、キー操作、キー以外の可動部分を動作させる操作、充電操作、および加速度が検出される操作の少なくとも１つである、請求項１に記載の携帯端末。
【請求項１０】
現在位置を測定する手段をさらに備え、
前記メール送信制御手段で生成される前記異常なし通知メールには、当該異常なし通知メール作成時における当該携帯端末の位置を示す情報が含まれる、請求項１に記載の携帯端末。
【請求項１１】
電池残量を検出する手段をさらに備え、
前記メール送信制御手段で生成される前記異常なし通知メールには、当該異常なし通知メール作成時における前記電池残量を示す情報が含まれる、請求項１に記載の携帯端末。
【請求項１２】
前記他の装置から、前記異常なし通知メールを受信したことを通知するメールを受信する受信手段と、
前記メールを受信した際に、着信を報知する動作を制限する制御手段とをさらに備える、請求項１に記載の携帯端末。
【請求項１３】
前記他の装置から、前記異常なし通知メールを受信したことを通知するメールを受信する受信手段と、
前記受信手段において前記メールを所定期間受信していない場合に、その旨を報知する手段とをさらに備える、請求項１に記載の携帯端末。
【請求項１４】
通信事業者が提供するメールの配信確認機能を利用して前記他の装置に前記異常なし通知メールが配信されていないことを検出する手段と、
前記メールが所定期間前記他の装置に配信されていないことが検出された場合に、その旨を報知する手段とをさらに備える、請求項１に記載の携帯端末。
【請求項１５】
許可されたユーザであるか否かを認証する認証手段と、
前記認証手段において許可されたユーザであることが認証された場合に、前記検出手段および／または前記メール送信制御手段における設定の変更を受付ける手段をさらに備える、請求項１に記載の携帯端末。
【請求項１６】
前記検出手段および／または前記メール送信制御手段における設定の変更を受付ける手段をさらに備え、
前記メール送信制御手段は、前記設定の変更がなされた場合に、その旨を通知するメールを生成し、前記他の装置に対して送信する、請求項１に記載の携帯端末。
【請求項１７】
前記メール送信制御手段は、前記所定時間内に前記検出手段において前記所定操作がなされたことが検出されず、前記所定時間経過後に前記異常なし通知メールを送信していなかった場合、前記所定時間経過後に前記検出手段において前記所定操作がなされたことが検出されると、その時点で直ちに前記異常なし通知メールを送信する、請求項１に記載の携帯端末。
【請求項１８】
メールを受信する受信手段と、
前記受信手段でメールを受信したことを報知する報知手段と、
前記受信手段で受信した前記メールの種別を判定する判断手段と、
前記判断手段において、前記受信手段で受信した前記メールが、他の装置より送信された、所定時間ごとに前記他の装置において前記所定時間内に所定操作がなされたことを通知する異常なし通知メールであることが判断されると、前記報知手段において前記メールが受信されたことの報知を行なわないように制御する制御手段とを備える、携帯端末。
【請求項１９】
前記受信手段で受信した前記異常なし通知メールを格納する第１格納手段と、
前記受信手段で受信した前記異常なし通知メール以外のメールを格納する第２格納手段とをさらに備える、請求項１８に記載の携帯端末。
【請求項２０】
前記受信手段において、前記他の装置から第１の異常なし通知メールを受信した受信時点からの経過時間を計時する計時手段と、
前記第１の異常なし通知メールの次の第２の異常なし通知メールを受信するまでの前記経過時間がしきい値以上である場合に、異常の発生の可能性を検出する検出手段と、
前記異常の発生の可能性を通知する通知手段とをさらに備える、請求項１８に記載の携帯端末。
【請求項２１】
前記受信手段において、所定期間、当該携帯端末に対して前記異常なし通知メールを送信しないように設定されていることを通知するメールを受信すると、前記制御手段は、前記通知手段において前記異常の発生の可能性を通知しないように制御する、請求項２０に記載の携帯端末。
【請求項２２】
前記検出手段において前記異常の発生の可能性が検出されると、安否を問合せるメールを生成し、前記他の装置に対して送信するメール送信制御手段をさらに備える、請求項２０に記載の携帯端末。
【請求項２３】
前記検出手段において前記異常の発生の可能性が検出されると、その旨を通知するメールを生成し、予め指定されている宛先に対して送信するメール送信制御手段をさらに備える、請求項２０に記載の携帯端末。
【請求項２４】
前記異常なし通知メールには、前記異常なし通知メール作成時における前記他の装置の位置を示す情報と、前記異常なし通知メール作成時における前記他の装置の電池残量を示す情報との少なくとも一方が含まれ、
前記検出手段において前記異常の発生の可能性が検出されるまでは、前記異常なし通知メールに含まれる情報の少なくとも一部を表示しないように制御する表示制御手段をさらに備える、請求項２０に記載の携帯端末。
【請求項２５】
前記異常なし通知メールには、前記異常なし通知メール作成時における前記他の装置の位置を示す情報と、前記異常なし通知メール作成時における前記他の装置の電池残量を示す情報との少なくとも一方が含まれ、
前記受信手段で受信した前記異常なし通知メールを格納する格納手段と、
前記格納された前記異常なし通知メールの受信時刻と、前記異常なし通知メールに含まれる前記他の装置の位置情報と、前記異常なし通知メールに含まれる前記他の装置の電池残量の情報との少なくとも１つを一覧表示する表示手段とをさらに備える、請求項１８に記載の携帯端末。
【請求項２６】
前記受信手段で前記異常なし通知メールを受信すると、その旨を通知するメールを生成し、前記他の装置に対して送信するメール送信制御手段をさらに備える、請求項１８に記載の携帯端末。
【請求項２７】
第１携帯端末と第２携帯端末とを含み、
前記第１携帯端末は、
当該第１携帯端末に対して所定操作がなされたことを検出する検出手段と、
所定時間内に、前記検出手段において前記所定操作がなされたことが検出されると、前記所定時間経過後に、前記第２携帯端末に対して、その旨を通知するメールを送信するメール送信制御手段とを備え、
前記メール送信制御手段は、前記所定時間ごとに前記メールを前記第２携帯端末に対して送信する、安否確認システム。
【発明の詳細な説明】
【技術分野】
【０００１】
この発明は携帯端末および安否確認システムに関し、特に、携帯端末を利用してその携帯端末のユーザの安否を確認するための携帯端末および安否確認システムに関する。
【背景技術】
【０００２】
携帯電話は、その使用者が常に身近に持っている場合が多い。そのため、携帯電話自身が通信機能を有しているという特徴を利用して、携帯電話からその使用者の安否情報を、予め決めた装置へ通知するシステムが開示されている。
【０００３】
たとえば、特開２００４−２８２１６５号公報（以下、特許文献１）では、一定時間、携帯電話のキー操作がない場合に異常発生通知メールを監視者の携帯電話へ送信するシステムが開示されている。このような従来のシステムでは、異常の発生を検出してその旨を通知することがなされている。
【特許文献１】特開２００４−２８２１６５号公報
【発明の開示】
【発明が解決しようとする課題】
【０００４】
しかしながら、特許文献１に開示されているような従来のシステムでは、異常発生通知メールを送信しようとした時点に、携帯電話が基地局電波の圏外にある場合や、電池が切れている場合や、電源スイッチが切れている場合や、ネットワークの障害や輻輳が発生した場合など、このような様々な要因により、送信ができない場合があるという問題がある。
【０００５】
また、携帯電話の使用者に異常が発生するような状況においては、上述のような要因が発生する確率は平常時よりも高いと考えられる。異常発生時にこのような要因が発生すると、安否確認システムとして本来の機能が満足に果たせず、重大な結果になってしまう場合もあり得る。
【０００６】
本発明はこのような問題に鑑みてなされたものであって、異常の発生の可能性を検出して報知することのできる携帯端末および安否確認システムを提供することを目的とする。
【課題を解決するための手段】
【０００７】
上記目的を達成するために、本発明のある局面に従うと、携帯端末は、当該携帯端末に対して所定操作がなされたことを検出する検出手段と、所定時間内に、検出手段において所定操作がなされたことが検出されると、上記所定時間経過後に、他の装置に対して、その旨を通知するメールである異常なし通知メールを送信するメール送信制御手段とを備え、メール送信制御手段は、上記所定時間ごとに異常なし通知メールを生成し、上記他の装置に対して送信する。
【０００８】
好ましくは、携帯端末は、所定時間を変更する変更手段をさらに備える。
好ましくは、携帯端末は、上記他の装置において異常の発生を判断するために用いられるしきい値である判断時間を格納する手段と、検出手段において上記判断時間よりも短い所定時間内に上記所定操作が検出されない場合に、その旨を通知する手段とをさらに備える。
【０００９】
好ましくは、携帯端末は、許可されたユーザであるか否かを認証する認証手段を備え、メール送信制御手段は、検出手段において上記判断時間の間前記所定操作が検出されない場合に、認証手段において許可されたユーザであることが認証されるまで、異常なし通知メールの送信を制限する。
【００１０】
好ましくは、携帯端末は、未送信の異常なし通知メールを格納する未送信メール格納手段をさらに備え、メール送信制御手段は、未送信メール格納手段に未送信の異常なし通知メールが格納されている場合に、その未送信の異常なし通知メールを送信する。
【００１１】
好ましくは、携帯端末は、電池残量がしきい値以下であるか否かを検出する手段をさらに備え、メール送信制御手段は、電池残量がしきい値以下であることが検出されると、その旨を通知するメールを生成し、他の装置に対して送信する。
【００１２】
好ましくは、携帯端末は、異常なし通知メールを、所定期間、上記他の装置に対して送信しないように設定する手段をさらに備え、メール送信制御手段は、上記他の装置に対して、上記設定がなされたことを通知するメールを生成し、送信する。
【００１３】
より好ましくは、メール送信制御手段で生成されるメールには、上記所定期間の終了時点を示す情報が含まれる。
【００１４】
好ましくは、上記所定操作は、キー操作、キー以外の可動部分を動作させる操作、充電操作、および加速度が検出される操作の少なくとも１つである。
【００１５】
好ましくは、携帯端末は、現在位置を測定する手段をさらに備え、メール送信制御手段で生成される異常なし通知メールには、当該異常なし通知メール作成時における当該携帯端末の位置を示す情報が含まれる。
【００１６】
好ましくは、携帯端末は、電池残量を検出する手段をさらに備え、メール送信制御手段で生成される異常なし通知メールには、当該異常なし通知メール作成時における電池残量を示す情報が含まれる。
【００１７】
好ましくは、携帯端末は、上記他の装置から、異常なし通知メールを受信したことを通知するメールを受信する受信手段と、上記メールを受信した際に、着信を報知する動作を制限する制御手段とをさらに備える。
【００１８】
好ましくは、携帯端末は、上記他の装置から、異常なし通知メールを受信したことを通知するメールを受信する受信手段と、受信手段において上記メールを所定期間受信していない場合に、その旨を報知する手段とをさらに備える。
【００１９】
好ましくは、携帯端末は、通信事業者が提供するメールの配信確認機能を利用して上記他の装置に異常なし通知メールが配信されていないことを検出する手段と、上記メールが所定期間上記他の装置に配信されていないことが検出された場合に、その旨を報知する手段とをさらに備える。
【００２０】
好ましくは、携帯端末は、許可されたユーザであるか否かを認証する認証手段と、認証手段において許可されたユーザであることが認証された場合に、検出手段および／また記メール送信制御手段における設定の変更を受付ける手段をさらに備える。
【００２１】
好ましくは、携帯端末は、検出手段および／またはメール送信制御手段における設定の変更を受付ける手段をさらに備え、メール送信制御手段は、上記設定の変更がなされた場合に、その旨を通知するメールを生成し、上記他の装置に対して送信する。
【００２２】
好ましくは、メール送信制御手段は、上記所定時間内に検出手段において上記所定操作がなされたことが検出されず、上記所定時間経過後に異常なし通知メールを送信していなかった場合、上記所定時間経過後に検出手段において上記所定操作がなされたことが検出されると、その時点で直ちに異常なし通知メールを送信する。
【００２３】
本発明の他の局面に従うと、携帯端末は、メールを受信する受信手段と、受信手段でメールを受信したことを報知する報知手段と、受信手段で受信したメールの種別を判定する判断手段と、判断手段において、受信手段で受信したメールが、他の装置より送信された、所定時間ごとに上記他の装置において上記所定時間内に所定操作がなされたことを通知する異常なし通知メールであることが判断されると、報知手段においてメールが受信されたことの報知を行なわないように制御する制御手段とを備える。
【００２４】
好ましくは、携帯端末は、受信手段で受信した異常なし通知メールを格納する第１格納手段と、受信手段で受信した異常なし通知メール以外のメールを格納する第２格納手段とをさらに備える。
【００２５】
好ましくは、携帯端末は、受信手段において、上記他の装置から第１の異常なし通知メールを受信した受信時点からの経過時間を計時する計時手段と、第１の異常なし通知メールの次の第２の異常なし通知メールを受信するまでの経過時間がしきい値以上である場合に、異常の発生の可能性を検出する検出手段と、異常の発生の可能性を通知する通知手段とをさらに備える。
【００２６】
より好ましくは、受信手段において、所定期間、当該携帯端末に対して異常なし通知メールを送信しないように設定されていることを通知するメールを受信すると、制御手段は、通知手段において異常の発生の可能性を通知しないように制御する。
【００２７】
またより好ましくは、携帯端末は、検出手段において異常の発生の可能性が検出されると、安否を問合せるメールを生成し、他の装置に対して送信するメール送信制御手段をさらに備える。
【００２８】
またより好ましくは、携帯端末は、検出手段において異常の発生の可能性が検出されると、その旨を通知するメールを生成し、予め指定されている宛先に対して送信するメール送信制御手段をさらに備える。
【００２９】
またより好ましくは、異常なし通知メールには、異常なし通知メール作成時における上記他の装置の位置を示す情報と、異常なし通知メール作成時における上記他の装置の電池残量を示す情報との少なくとも一方が含まれ、携帯端末は、検出手段において異常の発生の可能性が検出されるまでは、異常なし通知メールに含まれる情報の少なくとも一部を表示しないように制御する表示制御手段をさらに備える。
【００３０】
好ましくは、異常なし通知メールには、異常なし通知メール作成時における上記他の装置の位置を示す情報と、異常なし通知メール作成時における上記他の装置の電池残量を示す情報との少なくとも一方が含まれ、携帯端末は、受信手段で受信した異常なし通知メールを格納する格納手段と、格納された異常なし通知メールの受信時刻と、異常なし通知メールに含まれる上記他の装置の位置情報と、異常なし通知メールに含まれる上記他の装置の電池残量の情報との少なくとも１つを一覧表示する表示手段とをさらに備える。
【００３１】
好ましくは、携帯端末は、受信手段で異常なし通知メールを受信すると、その旨を通知するメールを生成し、上記他の装置に対して送信するメール送信制御手段をさらに備える。
【００３２】
本発明のさらに他の局面に従うと、安否確認システムは、第１携帯端末と第２携帯端末とを含み、第１携帯端末は、当該第１携帯端末に対して所定操作がなされたことを検出する検出手段と、所定時間内に、検出手段において上記所定操作がなされたことが検出されると、上記所定時間経過後に、第２携帯端末に対して、その旨を通知するメールを送信するメール送信制御手段とを備え、メール送信制御手段は、上記所定時間ごとに上記メールを第２携帯端末に対して送信する。
【発明の効果】
【００３３】
本発明にかかる安否確認システムでは、保護者側の携帯電話において、被保護者の異常発生の可能性を検出することができる。
【発明を実施するための最良の形態】
【００３４】
以下に、図面を参照しつつ、本発明の実施の形態について説明する。以下の説明では、同一の部品および構成要素には同一の符号を付してある。それらの名称および機能も同じである。
【００３５】
図１は、本実施の形態にかかる安否確認システム（以下、システムと略する）の装置構成の具体例を示す図である。
【００３６】
図１を参照して、本システムは、被保護者１０１の持つ携帯端末として携帯電話１０２と、保護者１０３の持つ携帯端末としての携帯電話１０４とを含み、これらの携帯電話１０２，１０４は、基地局等を含む通信網１０５を介して通信を行なう。
【００３７】
なお、本実施の形態においては、携帯端末が携帯電話であるものとするが、携帯端末は携帯電話に限定されず、パーソナルコンピュータやノート型コンピュータやＰＤＡなどであってもよいし、時計やデジタルカメラや冷蔵庫や電灯など、通信機能を搭載し得る装置であればいかなる装置であってもよい。
【００３８】
図１８は、本システムを構成する被保護者１０１の携帯電話１０２および保護者１０３の携帯電話１０４のハードウェア構成として、一般的な携帯電話のハードウェア構成の具体例を示すブロック図である。ここでは、本システムを構成する携帯電話１０２，１０４が同一のハードウェア構成の携帯電話であるものとする。
【００３９】
図１８を参照して、携帯電話１０２，１０４は、ユーザとのインタフェースである入出力部１４０と、ＣＰＵ（Central Processing Unit）等から構成されて、当該携帯電話１０２，１０４全体を制御する制御部１２０と、他の装置と通信するための通信部１１０と、ＲＯＭ（Read Only Memory）やＲＡＭ（Random Access Memory）などから構成されて、制御部１２０において実行されるプログラムや、そのプログラムの中間データおよび他のコンピュータから受信したデータ等を記憶する記憶部１３０と、当該携帯電話１０２，１０４の加速度を検出する加速度センサ１５０と、ＧＰＳ（Global Positioning System）や図示されない基地局との交信などを利用して現在位置を測定または取得する現在位置測定装置１６０とを含んで構成される。
【００４０】
通信部１１０は、通信網１０５を介して通信を行ない、他の携帯電話などの装置にデータの送受信を行なう。
【００４１】
さらに上述の入出力部１４０は、「１」、「２」などの数字ボタンおよび「Ｒ」、「Ｌ」などの方向ボタンなどを含むキーコード入力デバイス（キー）１４２と、ユーザに情報を表示するＬＣＤ（Liquid Crystal Display）などのディスプレイ１４４と、音声を入力するマイクロフォン１４６と、音声を出力するスピーカ１４８と、画像を撮影して入力するカメラ１４９とを含む。
【００４２】
また、制御部１２０は、その内部にタイマを含む。
後述する安否確認に関する処理は、携帯電話１０２，１０４のハードウェア、記憶部１３０に記憶され制御部１２０により実行されるソフトウェアにより実現される。なお、図１８に示した携帯電話１０２，１０４の携帯電話機としての通常の動作は周知である。
【００４３】
図２は、本システムを構成する被保護者１０１の携帯電話１０２において、安否確認に関する処理を行なうための機能構成の具体例を示すブロック図である。
【００４４】
図２を参照して、携帯電話１０２の上記機能は、キー制御部２０２、充電制御部２０３、異常なし検出部２０４、全体制御部２０５、時間計測部２０６、メール送受信制御部２０７、通知メール検出部２１４、および認証処理部２１５を含んで構成される。さらに、記憶部１３０には、記憶領域として、異常なし通知メール送信間隔格納部２０８、送信先アドレス格納部２０９、異常なし検出有無格納部２１０、一時停止設定格納部２１１、メール格納部２１２、および異常あり判定時間格納部２１３が含まれる。
【００４５】
キー制御部２０２はキー１４２が操作されたことによる操作信号をキー１４２から受取り、異常なし検出部２０４に操作信号を入力する。充電制御部２０３は、図示しない充電池の充電具合を監視し、携帯電話１０２が充電台にセットされ充電が開始されたことや、充電台から取り外されたことを検出すると、異常なし検出部２０４に検出信号を入力する。また、電池の残量がしきい値以下であることを検出すると、全体制御部２０５に検出信号を入力する。加速度センサ１５０は当該携帯電話１０２の加速度が検出されると、異常なし検出部２０４に検出信号を入力する。
【００４６】
異常なし検出有無格納部２１０には、異常なしが検出された否かを示す情報が格納されている。一例としては、異常なしが検出された否かを示す情報としての安否確認済みフラグが格納されており、異常なしが検出された場合には上記フラグがＯＮに、異常なしが検出されていない場合には上記フラグがＯＦＦにされている。
【００４７】
異常なし検出部２０４は、キー制御部２０２からの操作信号、充電制御部２０３からの検出信号、および／または加速度センサ１５０からの検出信号に基づいて異常なしを検出し、検出結果を全体制御部２０５に入力する。全体制御部２０５は、異常なし検出有無格納部２１０に異常なしが検出されたことを格納するため、上述の安否確認済みフラグをＯＦＦからＯＮにする。
【００４８】
異常なし通知メール送信間隔格納部２０８には、予め被保護者１０１や保護者１０３等によって設定されている、後述する異常なし通知メールを携帯電話１０４に送信する時間間隔が格納されている。時間計測部２０６は、異常なし通知メール送信間隔格納部２０８に格納されている時間間隔を読出し、後述する全体制御部２０５からの制御信号に従って先の異常なし通知メールの送信から上記時間間隔の経過を測定して、上記時間間隔の経過を全体制御部２０５に通知する。
【００４９】
送信先アドレス格納部２０９には、予め被保護者１０１や保護者１０３等によって設定されている、後述する異常なし通知メールの送信先アドレス（ここでは携帯電話１０４のメールアドレス）が格納されている。全体制御部２０５は、時間計測部２０６からの上記通知に基づいて所定のタイミングで送信先アドレス格納部２０９から格納されている携帯電話１０４のメールアドレスを読出し、メール送受信制御部２０７に対して異常なし通知メールを送信するよう制御信号を入力する。また、時間計測部２０６に対して新たに時間間隔を計測するよう制御信号を入力する。また、全体制御部２０５は異常なし検出有無格納部２１０に格納されている上記の安否確認済みフラグをＯＮからＯＦＦにし、異常なしの検出結果をリセットする。また、全体制御部２０５は、現在位置測定装置１６０から現在位置を取得し、充電制御部２０３から現在の電池の残り量を取得し、これらの情報をメール送受信制御部２０７に入力する。
【００５０】
メール格納部２１２には、送信済みのメールや、未送信のメールや、定型メールのデータなどが格納されている。また、メール送受信制御部２０７が後述する異常なし通知メールの送信を管理するための情報が格納されている。一例としては、異常なし通知メールが送信された否かを示す情報としての異常なし通知メール未送信フラグが格納されており、異常なし通知メールが送信された場合には上記フラグがＯＮに、送信されていない場合には上記フラグがＯＦＦにされている。また、その他のメールについても、送信を管理するための未送信フラグ等の情報が格納されていてもよい。
【００５１】
一時停止設定格納部２１１には異常なし通知メールの送信を行なうか否かを管理するための情報が格納されている。一例としては、異常なし通知メールの送信を一時的に停止するか否かを示す情報としての異常なし通知メール一時停止フラグが格納されており、異常なし通知メールの送信を一時的に停止することが設定されている場合には上記フラグがＯＮに、停止することが設定されていない場合には上記フラグがＯＦＦにされている。また、停止する期間が設定されている場合には、その情報も格納されている。
【００５２】
メール送受信制御部２０７は、全体制御部２０５からの上記制御信号に従い、異常なし検出有無格納部２１０に格納されている安否確認済みフラグに応じて、メール格納部２１２に格納されている異常なし通知メールの定型データを読出して、入力された現在位置等の情報を用いて異常なし通知メールを作成し、上述の格納部に格納されているフラグ等を参照して異常なし通知メールの送信のタイミングを判断して、作成された異常なし通知メールを送信する。
【００５３】
異常あり判定時間格納部２１３は、予め被保護者１０１や保護者１０３等によって設定されている、保護者１０３の携帯電話１０４において被保護者１０１に異常が発生したと判断される時間である異常あり判定時間を格納する。全体制御部２０５は、時間計測部２０６で計測される、前回の異常なし通知メールを送信したときからの時間経過と、上記異常あり判定時間とに基づいて、必要に応じてディスプレイ１４４に警告を表示させたり、図示されないロック機構に制御信号を出力したりする。また、充電制御部２０３からの検出信号に基づいて、電池残量がしきい値以下となった場合には、その旨を通知するメールを送信するよう、メール送受信制御部２０７に制御信号を入力する。
【００５４】
メール送受信制御部２０７は、通信部１１０でのデータの送受信を制御し、メールが受信されたことが検出されるとメールの内容を通知メール検出部２１４に入力する。通知メール検出部２１４において、そのメールが携帯電話１０４からの、後述する異常なし通知メールを受信したことを通知するメールであるか否かが判定されて、その結果が全体制御部２０５に入力される。全体制御部２０５は、時間計測部２０６で計測される、前回の上記メールを送信したときからの時間経過と、上記判定とに基づいて、必要に応じてディスプレイ１４４に警告を表示させたり、スピーカ１４８から警告音を出力させたりする。
【００５５】
図３は、本システムを構成する保護者１０３の携帯電話１０４において、安否確認に関する処理を行なうための機能構成の具体例を示すブロック図である。
【００５６】
図３を参照して、携帯電話１０４の上記機能は、メール送受信制御部３０２、時間計測部３０３、全体制御部３０５、メール種別判断部３０９、および異常検出部３１０を含んで構成される。さらに、記憶部１３０には、記憶領域として、一般メール格納部３０６、異常なし通知メール格納部３０７、異常あり判定時間格納部３０８、および一時停止設定格納部３１２が含まれる。
【００５７】
メール送受信制御部３０２は、通信部１１０でのデータの送受信を制御し、メールが受信されたことが検出されるとメールの内容を全体制御部３０５に入力する。全体制御部３０５はメール種別判定部３０９へその内容を転送し、メール種別判定部３０９においてそのメールが異常なし通知メールであるか否かが判定され、その判定結果が全体制御部３０５に入力される。全体制御部３０５は、メール種別判定部３０９での判定結果に応じて、メール送受信制御部３０２から入力されたメールを一般メール格納部３０６または異常なし通知メール格納部３０７に格納する。また、判定結果に応じて、時間計測部３０３に対して新たに時間経過を計測するよう制御信号を入力する。また、判定結果に応じて、携帯電話１０２に対して異常なし通知メールを受信したことを通知するメールを送信するよう、メール送受信制御部３０２に制御信号を入力する。
【００５８】
異常あり判定時間格納部３０８には、予め保護者１０３等によって設定されている、異常の発生を検出するための時間間隔である異常あり判定時間が格納されている。異常検出部３１０は、時間計測部３０３より、直前に異常なし通知メールを受取った時から次の異常なし通知メールを受取った時までの経過時間を取得し、異常あり判定時間格納部３０８に格納されている異常あり判定時間を読出して、異常の発生を検出し、検出信号を全体制御部３０５に入力する。全体制御部３０５は検出結果に応じて、スピーカ１４８に対して警報音を鳴らすように制御信号を入力する。
【００５９】
一時停止設定格納部３１２には、保護者１０３等によって異常なし通知メールの送信を一時的に停止することが設定されているか否かを示す情報が格納されている。一例としては、異常なし通知メールの送信を一時的に停止することが設定されているか否かを示す情報としての異常なし通知メール一時停止フラグが格納されており、異常なし通知メールの送信を一時的に停止することが設定されている場合には上記フラグがＯＮに、停止することが設定されていない場合には上記フラグがＯＦＦにされている。また、停止する期間が設定されている場合には、その情報も格納されている。メール種別判定部３０９において、受信メールが、携帯電話１０２において異常なし通知メールの送信を一時的に停止していることを通知するメールであると判定された場合には、全体制御部３０５は、その内容に応じて上記フラグを設定する。異常検出部３１０は、異常の発生を検出する際、上記フラグの設定も参照する。
【００６０】
図４は、本システムでの安否確認に関する主な処理の流れを時系列で説明するための図である。図４において横軸は経過時間を表わし、本システムの作動を開始させた時点を経過時点が０の時点とする。
【００６１】
またこの例において、保護者１０３は、予め、被保護者１０１の携帯電話１０２に対して異常なし通知メール送信間隔格納部２０８に異常なし通知メールを送信する間隔を６時間と設定しておくものとする。また、予め、異常あり判定時間格納部３０８に、異常を検出するための時間として適切な時間を設定しておくものとする。この例では、異常なし通知メールを送信する間隔が６時間なので、異常なし通知メールが２回連続で受信できなかった場合に警報を発生させるようにするために、６時間×２＋１時間で１３時間と設定されることが好ましい。１時間を加えたのは、通信回線の混雑等でメールの配信の遅延があることを考慮に入れたものである。また、予め、送信先アドレス格納部２０９に、異常なし通知メールの送信先として携帯電話１０４のメールアドレスを設定しておくものとする。
【００６２】
図４を参照して、本システムの作動を開始すると、始めに、被保護者１０１のもつ携帯電話１０２より、異常なし通知メールが保護者１０３の携帯電話１０４のメールアドレスに宛てて送信される（ステップＳ１）。それと同時に、携帯電話１０２の時間計測部２０６は時間の計測を開始し、異常なし通知メールの送信後からの経過時間を計測する。
【００６３】
その後、携帯電話１０２のキー制御部２０２が、被保護者１０１のキー１４２の操作を検出すると異常なし検出部２０４において異常なしが検出される（ステップＳ２−１）。また、携帯電話１０２を充電台に置いて充電を開始すると、充電制御部２０３から異常なし検出部２０４へ通知され、異常なし検出部２０４において異常なしが検出される（ステップＳ２−２）。異常なし検出部２０４において異常なしが検出されると全体制御部２０５は、異常なし検出有無格納部２１０に異常なし検出が発生したことを格納する。
【００６４】
時間計測部２０６が、異常なし通知メールを送信する間隔として設定されている時間、すなわち６時間が経過したことを全体制御部２０５に通知すると、全体制御部２０５は送信先アドレス格納部２０９に格納されている保護者１０３の携帯電話１０４のメールアドレス宛てに異常なし通知メールを送信するよう、メール送受信制御部２０７に命令を出す。メール送受信制御部２０７はその命令に従い、異常なし通知メールを送信する（ステップＳ３）それと同時に時間計測部２０６はその時点から新たに時間計測を開始する。また、同時に全体制御部２０５は、異常なし検出有無格納部２１０の内容をリセットする。
【００６５】
なお、時間計測部２０６が異常なし通知メール送信間隔格納部２０８に設定されている時間、すなわち６時間が経過したことを全体制御部２０５に通知した時点で、異常なし検出有無格納部２１０の上記フラグの内容が検出なしであれば、異常なし通知メールの送信は行なわない。これは図４の１２時間経過時点の挙動に相当する。この場合でも、時間計測部２０６はその時点から新たに時間計測を開始する。また、同時に全体制御部２０５は、異常なし検出有無格納部２１０の内容をリセットする。
【００６６】
保護者１０３の携帯電話１０４では、異常なし通知メールが届くと、メール種別判定部３０９においてそのメールが異常なし通知メールなのか、一般のメールであるのかが判定される。異常なし通知メールであると判定されたら、全体制御部３０５は、そのメールを異常なし通知メール格納部３０７に格納する。それと同時に時間計測部３０３の計測時間をリセットし、０に戻して計測を再び開始させる。
【００６７】
図４のような状況では、システム作動開始から３１時間経過時点で、時間計測部３０３での計測時間が異常あり判定時間に達する。これにより、全体制御部３０５はスピーカ３０４へ警報音を鳴らすように指示する（ステップＳ４）。これにより、保護者１０３は、被保護者１０１に何か異常が発生した可能性があることを知ることができる。
【００６８】
図５は、異常なし通知メールの内容の具体例を示す図である。
図５に示されるように、異常なし通知メールには、異常なし通知メールを送信する間隔として設定されている時間内に異常なしが検出されたことと、送信時の携帯電話１０２の位置情報と、送信時の携帯電話１０２の電池残量とが含まれる。これにより、保護者１０３は、被保護者１０１について異常なしが検出されたことを知ることができる。なお、異常なし通知メールの内容は図５に示されるものに限定されず、少なくとも異常なしが検出されたことが含まれていればよく、送信時の携帯電話１０２の位置情報や、送信時の携帯電話１０２の電池残量は含まれていなくてもよい。または、いずれか一方が含まれていてもよい。
【００６９】
また、図６は、携帯電話１０２から受信した異常なし通知メールの、一覧表示の具体例を示す図である。図６では、保護者の情報通信端末で過去に受信した異常なし通知メールの受信時刻や、これらのメールに含まれる位置情報や、これらのメールに含まれる電池残量の情報が一覧表示される。または、これらのうちのいずれかの情報が一覧表示されてもよい。このように、保護者１０３の携帯電話１０４において、携帯電話１０２から受信した異常なし通知メールを一覧表示させることで、所定時間ごとの被保護者１０１の携帯電話１０２の状況が提示され、被保護者１０１の異常を精度よく発見することができる。
【００７０】
図７は、被保護者１０１の携帯電話１０２における、安否確認に関する処理の流れを示すフローチャートである。図７のフローチャートに示される処理は、携帯電話１０２の制御部１２０が記憶部１３０に記憶されているプログラムを実行し、図２に示される各部を制御することによって実現される。
【００７１】
図７を参照して、本処理を開始すると、始めに、各種設定値および条件判断フラグが初期化される（ステップＳ７０１）。次に、携帯電話１０２の状態が確認されて、各状態における処理が実行される（ステップＳ７０２）。続いて、全体制御部２０５において一時停止設定格納部２１１が参照されて、異常なし通知メールの送信を一時停止することが設定されているか否かを確認し、設定されている場合には（ステップＳ７０３でＹｅｓ）、異常なし通知メールの送信を一時停止するための処理を実行する（ステップＳ７０４）。上記設定がされていない場合（ステップＳ７０３でＮｏ）、または一時停止処理が終了した場合には（ステップＳ７０５でＹｅｓ）、異常なしを検出する処理が実行される（ステップＳ７０６）。そして、異常なし通知メール送信間隔格納部２０８に格納されている異常なし通知メールを送信する間隔分の時間が経過したことが時間計測部２０６において計測されると、メール送受信制御部２０７において、図５に示されるような異常なし通知メールを送信するための処理が実行され（ステップＳ７０８）、処理が終了する。
【００７２】
図８は、上記ステップＳ７０２における携帯電話１０２の状態を確認する処理の詳細を示したフローチャートである。
【００７３】
図８を参照して、始めに、充電制御部２０３は電池残量を確認し、電池残量が設定されたしきい値より少ない場合には（ステップＳ８０１でＹｅｓ）、全体制御部２０５は、「電池残量がなくなる」旨を表わし、電池残量が少なくなっていることを警告するメールを保護者１０３の携帯電話１０４へ送信するようメール送受信制御部２０７に制御信号を入力する（ステップＳ８０３）。ただし、メール送受信制御部２０７において上記警告メールが送信済みであることが検出された場合には（ステップＳ８０２でＮｏ）、メール送受信制御部２０７は、充電制御部２０３で再び電池残量がしきい値を超えたことが検出されるまで上記警告メールを送信しないものとする。次に、メール送受信制御部２０７においてメール格納部２１２の異常なし通知メール未送信フラグを参照して、携帯電話１０２が圏外であったり電池切れであったり等の理由により未送信となっている異常なし通知メールの有無を確認する。そして、未送信の異常なし通知メールが存在することが検出されると（ステップＳ８０４でＹｅｓ）、現在の携帯電話１０２の状態がメールの送信を行なうことのできる状態であるならば（ステップＳ８０５でＹｅｓ）、メール送受信制御部２０７は直ちに未送信の異常なし通知メールを送信する（ステップＳ８０６）。
【００７４】
次に、全体制御部２０５は、保護者１０３の携帯電話１０４から、後述の異常なし通知メールを受信した旨を通知するメールを所定時間受信していないか否かを判断する（ステップＳ８０７）。上記所定時間の間上記メールを受信していないことが検出されると（ステップＳ８０７でＹｅｓ）、保護者１０３の携帯電話１０４が正常動作していないと判断し、当該携帯電話１０２のディスプレイ１４４に表示したりスピーカ１４８から音声出力したりし、その旨を警告する（ステップＳ８０９）。
【００７５】
同様に、全体制御部２０５は、通信事業者が提供しているメール配信確認機能を用いて、これまでに送信した異常なし通知メールが保護者１０３の携帯電話１０４に配信されていない状態が所定時間継続していないか否かを確認する（ステップＳ８０８）。続いていることが検出されると（ステップＳ８０８でＹｅｓ）、保護者１０３の携帯電話１０４が正常動作していないと判断し、当該携帯電話１０２のディスプレイ１４４に表示したりスピーカ１４８から音声出力したりし、その旨を警告して（ステップＳ８０９）、処理を終了する。なお、上記ステップＳ８０７の処理とステップＳ８０８の処理とは、いずれか一方のみ行なわれてもよい。
【００７６】
図９は、上記ステップＳ７０４の異常なし通知メールの送信を一時停止する処理の詳細を示したフローチャートである。
【００７７】
図９を参照して、メール送受信制御部２０７は、メール格納部２１２を参照して、キー制御部２０２においてキー１４２で異常なし通知メールの送信を一時停止する設定がなされたことが検出されてから、異常なし通知メールの送信を一時停止する設定がなされたことを連絡するメールがすでに保護者１０３の携帯電話１０４に送信されているか否かを確認する。上記メールが未送信であることが検出されると（ステップＳ９０１でＹｅｓ）、メール送受信制御部２０７は上記メールを作成して（ステップＳ９０２）、携帯電話１０４に送信し（ステップＳ９０５）、処理を終了する。なお、キー制御部２０２においてキー１４２で、上記設定に加えて、一時停止される期間や一時停止を解除する時期を表わしたスケジュールが設定されたことが検出されると（ステップＳ９０３でＹｅｓ）、ステップＳ９０５では、上記設定がなされていることに加えて上記スケジュールが当該メールに追加される（ステップＳ９０４）。
【００７８】
このように、携帯電話１０２において異常なし通知メールの送信を一時停止する設定がなされたことを携帯電話１０４に通知することで、被保護者１０１に異常が発生していないにも関わらず、携帯電話１０４において異常が発生していると検出されることを防ぐことができる。
【００７９】
図１０は、上記ステップＳ７０６における異常なしを検出する処理の詳細を示したフローチャートである。
【００８０】
図１０を参照して、始めに、全体制御部２０５は異常なし検出有無格納部２１０の安否確認済みフラグの状態を確認し（ステップＳ１００１）、すでに異常なしであることが検出されているかどうかを確認する。その結果、検出済みの場合、つまりフラグがＯＮされていることが検出された場合には（ステップＳ１００２でＮｏ）、以降の処理はスキップし、本処理を終了する。
【００８１】
未検出の場合、つまりフラグがＯＦＦであることが検出された場合には（ステップＳ１００２でＹｅｓ）、異常なし検出部２０４は加速度センサ１５０からの検出信号により異常なしであるか否かを判定する（ステップＳ１００３）。その結果、異常なしであることが検出されなかった場合、つまり加速度センサ１５０において加速度が検出されなかった場合には（ステップＳ１００３でＹｅｓ）、続いて、異常なし検出部２０４はキー制御部２０２からのキー操作の有無の検出信号により異常なしであるか否かを判定する（ステップＳ１００４）。その結果、異常なしであることが検出されなかった場合、つまりキー操作がなされたことが検出されなった場合には（ステップＳ１００４でＹｅｓ）、続いて、キー１４２以外の可動部分の動作の有無により判定を行なってもよい（ステップＳ１００５）。その結果、異常なしであることが検出されなかった場合、つまりキー１４２以外の可動部分の操作がなされたことが検出されなった場合には（ステップＳ１００５でＹｅｓ）、異常なし検出部２０４は充電制御部２０３からの充電動作（充電器の接続あるいは取外し）の有無の検出信号により異常なしであるか否かを判定する（ステップＳ１００６）。その結果、異常なしであることが検出されなかった場合、つまり充電動作がなされたことが検出されなった場合（ステップＳ１００６でＹｅｓ）、したがって、いずれの検出方法でも、異常なしであることが検出されなかった場合には、全体制御部２０５は時間計測部２０６で計測されている時間より前回の異常なし通知メール送信からの経過時間を確認する（ステップＳ１００７）。なお、検出の順は上述の順には限定されず、いずれの順であってもよい。
【００８２】
上記経過時間と、異常あり判定時間格納部２１３に格納されている異常あり判定時間との差が所定時間以下になったことが検出されると（ステップＳ１００８でＹｅｓ）、全体制御部２０５は、当該携帯電話１０２のディスプレイ１４４に、「このまま携帯電話の操作等をしない状態を続けると、保護者１０３の携帯電話１０４において異常が発生したことが通知される」ことを示す警告を表示させるなどしてその旨を通知する（ステップＳ１００９）。このように通知することで、（実際に異常が発生していないにも関わらず）携帯電話１０２において異常を検出する動作がなかっただけの状況で、保護者１０３の携帯電話１０４において異常発生が検出されることを防ぐことができる。
【００８３】
あわせて、全体制御部２０５は、図示されない当該携帯電話１０２のユーザロック機能等に対して制御信号を出力してユーザロック機能を有効にし（ステップＳ１０１０）、本人確認等の所定の解除操作がなされることで異常なし通知メールの送信を抑制する（ステップＳ１０１１）。
【００８４】
一方、上記ステップＳ１００３〜Ｓ１００６のうちのいずれかの検出処理において異常なしが検出できた場合には（ステップＳ１００３〜Ｓ１００６でＮｏ）、全体制御部２０５は、異常なし検出有無格納部２１０の安否確認済みフラグをＯＮにし（ステップＳ１０１２）、処理を終了する。
【００８５】
図１１は、上記ステップＳ７０８における異常なし通知メールを送信するための処理の詳細を示したフローチャートである。
【００８６】
図１１を参照して、始めに、全体制御部２０５によって、前回異常なし通知メールを受取ったことを示す前回安否確認済みフラグがＯＦＦであり、かつ今回異常なし通知メールを受取ったことを示す安否確認済みフラグがＯＮであるか否かが確認され（ステップＳ１１００）、そうであれば（ステップＳ１１００でＹｅｓ）、以下のステップＳ１１０１〜Ｓ１１０４をスキップして、ステップＳ１１０５へ進む。
【００８７】
そうでない場合（ステップＳ１１００でＮｏ）、時間計測部２０６は、異常なし通知メール送信間隔格納部２０８に格納されている所定の時間間隔を参照して、前回の異常なし通知メールの送信予定時刻からの経過時間を確認し（ステップＳ１１０１）、経過時間が上記所定の時間に達しているか否かを判断する（ステップＳ１１０２）。所定の時間に達していることが検出された場合には（ステップＳ１１０２でＹｅｓ）、計測している経過時間を初期化し（ステップＳ１１０３）、全体制御部２０５において異常なし検出有無格納部２１０の安否確認済みフラグが確認される（ステップＳ１１０４）。
【００８８】
安否確認済みフラグがＯＮである場合、つまり先の異常なし通知メールの送信予定時刻から上記所定の時間が経過するまでの間に異常なしが検出されている場合には（ステップＳ１１０４でＹｅｓ）、全体制御部２０５は今回異常なし通知メールを受取ったことを示す安否確認済みフラグをＯＦＦに戻し、前回異常なし通知メールを受取ったことを示す前回安否確認済みフラグをＯＮとする（ステップＳ１１０５）。
【００８９】
そうでない場合、つまり安否確認済みフラグがＯＦＦであり、先の異常なし通知メールの送信予定時刻から上記所定の時間が経過するまでの間に異常なしが検出されていない場合には（ステップＳ１１０４でＮｏ）、全体制御部２０５は前回異常なし通知メールを受取ったことを示す前回安否確認済みフラグをＯＦＦにし（ステップＳ１１１０）、以下のステップＳ１１０５〜Ｓ１１０９をスキップして処理を終了する。
【００９０】
さらに全体制御部２０５は、現在位置測定装置１６０で測定された現在地に関する情報を取得し、充電制御部２０３から電池残量の情報を取得し、これらの情報を記載した、図５に示されるような異常なし通知メールを作成するようメール送受信制御部２０７に制御信号を入力する（ステップＳ１１０６）。
【００９１】
メール送受信制御部２０７において当該携帯電話１０２がメールの送信ができない状態であることが検出されると（ステップＳ１１０７でＮｏ）、当該異常なし通知メールを未送信のままでメール格納部２１２に格納し、未送信メールが存在することを示す「異常なし通知メール未送信フラグ」をＯＮにして本処理を終了する（ステップＳ１１０８）。メールの送信が可能な状態であることが検出された場合にはＳステップＳ１１０７でＹｅｓ）、作成した異常なし通知メールを保護者１０３の携帯電話１０４に対して送信し（ステップＳ１１０９）、処理を終了する。
【００９２】
なお、被保護者１０１の携帯電話１０２においてメールを受信したときには、図１７に示されるような処理が割込んで実行される。図１７は、携帯電話１０２でメール受信イベントが発生したときに開始される処理を示したフローチャートである。
【００９３】
図１７を参照して、メール送受信制御部２０７は、通信網１０５を介して通信部１１０でメールを受信したことを検出すると、メールを受信したことを示す信号を各部に出力し、以降の処理を実行中の処理に割り込んで実行させる（ステップＳ１７０１）。通知メール検出部２１４は、そのメールが携帯電話１０４からの、異常なし通知メールを受信したことを通知するメールであるか否かを判定する（ステップＳ１７０２）。
【００９４】
通知メール検出部２１４において上記メールに該当しないと判定されると（ステップＳ１７０２でＮｏ）、受信されたメールは通常のメールなので、全体制御部２０５は、メール着信音、バイブレータの振動、ディスプレイ表示など、メール受信を通知するための処理を実行するように、各部に制御信号を出力し（ステップＳ１７０３）、当該メールをメール格納部２１２の所定領域に格納して（ステップＳ１７０４）、処理を終了する。
【００９５】
通知メール検出部２１４において受信メールが携帯電話１０４からの通知メールに該当すると判定されると（ステップＳ１７０２でＹｅｓ）、上述の通知するための処理は実行させずに当該メールをメール格納部２１２の所定領域に格納し（ステップＳ１７０４）、処理を終了する。
【００９６】
図１２は、保護者１０３の携帯電話１０４における、安否確認に関する処理の流れを示すフローチャートである。図１２のフローチャートに示される処理は、携帯電話１０４の制御部１２０が記憶部１３０に記憶されているプログラムを実行し、図３に示される各部を制御することによって実現される。
【００９７】
図１２を参照して、本処理を開始すると、始めに、各種設定値および条件判断フラグが初期化される（ステップＳ１２０１）。次に、受信したメールに対してメールの種類に応じた処理を行なうために受信メールを振り分ける処理が実行される（ステップＳ１２０２）。
【００９８】
次に、一時停止設定格納部３１２が参照されて、被保護者１０１の携帯電話１０２から異常なし通知メールの送信を一時停止する旨の通知があったことを示す異常なし通知メール一時停止フラグが確認され、フラグがＯＦＦであることが検出されると、つまり一時停止されていないことが検出されると（ステップＳ１２０３でＹｅｓ）、被保護者１０１に異常発生しているかどうかを判定する異常発生判定処理が実行される（ステップＳ１２０４）。一方、フラグがＯＮであることが検出されると、つまり異常なし通知メールの送信が一時停止することが設定されていることが検出されると（ステップＳ１２０３でＮｏ）、一時停止設定格納部３１２が参照されて、異常なし通知メールの送信の一時停止を終了する時刻となっていないかを確認する、異常なし通知メール一時停止終了判定処理が実行される（ステップＳ１２０５）。そして、本システムの停止が指示されると（ステップＳ１２０６でＹｅｓ）、本処理を終了する。
【００９９】
図１３は、上記ステップＳ１２０２における、受信したメールを振り分ける処理の詳細を示したフローチャートである。
【０１００】
図１３を参照して、始めに、全体制御部３０５においてメール送受信制御部３０２で受信したメールがあるか否かが確認され（ステップＳ１３０１）、受信メールがある場合には（ステップＳ１３０１でＹｅｓ）、メール種別判定部３０９においてメールの種類が確認される。
【０１０１】
メール種別判定部３０９において受信メールが異常なし通知メールであると判定されると（ステップＳ１３０２でＹｅｓ）、全体制御部３０５は、メール着信音の鳴動や、バイブレーションの振動や、ディスプレイ１４４へのメッセージの表示などの通常のメール着信時の処理を行なわないように各部に制御信号を出力してこれらの処理を制限し（ステップＳ１３０３）、異常なし通知メール格納部３０７に受信したメールを保存する（ステップＳ１３０４）。または、上記ステップＳ１３０３で全体制御部３０５は、異常なし通知メールの一部のみを表示させ、他の部分を表示しないように制限してもよい。そして、メール送受信制御部３０２において、異常なし通知メールを受信したことを通知するメールが、当該異常なし通知メールの送信元である携帯電話１０２に対して送信され（ステップＳ１３０５）、時間計測部３０３で計測されている、前回の異常なし通知メールを受信した時刻からの経過時間が初期化され（ステップＳ１３０６）、処理が終了する。
【０１０２】
異常なし通知メールは、被保護者１０１に異常がないことを保護者１０３に通知するためのメールであり、一般のメールのように使用者にメールを受信したことをその都度通知する必要がない。そこで、上述のような処理がなされて、異常なし通知メールを受信したときには受信を通知しないようにすることで保護者１０３の煩わしさを軽減することができる。
【０１０３】
メール種別判定部３０９において受信メールが異常なし通知メールの送信を一時的に停止することを通知するメールであると判定されると（ステップＳ１３０７でＹｅｓ）、全体制御部３０５は、一時停止設定格納部３１２の異常なし通知メール一時停止フラグをＯＮにし（ステップＳ１３０８）、当該メールに含まれている一時停止を終了する時刻を一時停止設定格納部３１２に格納する（ステップＳ１３０９）。なお、メール種別判定部３０９において受信メールが異常なし通知メール以外のメールであると判定された場合には（ステップＳ１３０２でＮｏ）、当該メールは一般メール格納部３０６に格納され（ステップＳ１３１０）、処理が終了する。このように、異常なし通知メールと一般のメールとが分けて保存されることにより、それぞれのメールが効率的に確認され得る。
【０１０４】
図１４は、上記ステップＳ１２０４における異常発生判定処理の詳細を示したフローチャートである。
【０１０５】
図１４を参照して、始めに、異常検出部３１０は、前回の異常なし通知メールを受信した時刻からの経過時間を確認し（ステップＳ１４０１）、経過時間が、異常あり判定時間格納部３０８に格納されている判定時間よりも大きいと判断された場合、つまり異常が発生した可能性があると判断された場合には（ステップＳ１４０２でＹｅｓ）、全体制御部３０５がアラーム音の鳴動、バイブレータの振動、ディスプレイ１４４の表示等を行なわせるための制御信号を各部に入力し、これらの動作により異常が発生した可能性がある旨の警報を通知する（ステップＳ１４０３）。
【０１０６】
このように通知されることで、定期的に異常なし通知メールが受信されたか否かを確認する手間が不要になる。また、確認を怠った場合であっても、保護者１０３は異常発生の可能性を認識することができる。
【０１０７】
続いて、メール送受信制御部３０２より、携帯電話１０２に対して安否を問合せるメールが自動的に送信される（ステップＳ１４０４）。同時に、設定している連絡先に対し、被保護者１０１に異常が発生している可能性があることを示したメールが送信される（ステップＳ１４０５）。
【０１０８】
また、過去に受信した異常なし通知メールの一覧を表示する要求のキー操作があったことが検出されると（ステップＳ１４０６でＹｅｓ）、全体制御部３０５は異常なし通知メール格納部３０７を参照して、図６に示される、異常なし通知メールの受信時刻、メールに記載されていた位置情報、電池残量の情報の一覧を表示させ（ステップＳ１４０７）、処理を終了する。
【０１０９】
図１５は、上記ステップＳ１２０５における、異常なし通知メールの一時的な停止の終了を判定する処理の詳細を示したフローチャートである。
【０１１０】
図１５を参照して、始めに、全体制御部３０５は、現在時刻が一時停止設定格納部３１２に格納されている終了時刻であるか否かを確認する。そして、現在時刻が終了時刻であることが検出されると（ステップＳ１５０１でＹｅｓ）、一時停止設定格納部３１２の異常なし通知メール一時停止フラグをＯＦＦ、つまり携帯電話１０２で一時停止が解除されたことを設定し（ステップＳ１５０２）、一時停止設定格納部３１２の上記終了時刻を初期化する（ステップＳ１５０３）。また、異常あり判定時間のスタートを現在時刻とするために、時間計測部３０３での上記判定時間の計測値も初期化し（ステップＳ１５０４）、処理を終了する。
【０１１１】
なお、被保護者１０１の携帯電話１０２において本システムの動作に関わる設定値の確認や変更を行なう際には本人確認等がなされることが好ましい。
【０１１２】
図１６は、本システムの動作に関わる設定値の確認や変更を行なう際の携帯電話１０２での処理を示したフローチャートである。図１６のフローチャートに示される処理は、図示しないメニュー画面において確認／閲覧が選択されるなどして、本システムの動作に関わる設定値の確認や変更を行なう操作がなされたときに実行される処理であって、この処理もまた、携帯電話１０２の制御部１２０が記憶部１３０に記憶されているプログラムを実行し、図２に示される各部を制御することによって実現される。
【０１１３】
図１６を参照して、始めに、パスワードの入力、携帯電話に搭載されている生体情報認識装置などによって、認証処理部２１５で本人確認が実行される（ステップＳ１６０１）。ここでの生体情報は、指紋や掌紋や声紋やアイリス等、個人を識別できるあらゆる生体情報が該当し得る。
【０１１４】
ステップＳ１６０１にて予め登録されている使用者であることが確認されると（ステップＳ１６０２でＹｅｓ）、全体制御部２０５は、設定の内容をディスプレイ１４４に表示させる（ステップＳ１６０３）。設定内容の変更を指示する操作がなされたことが検出されると（ステップＳ１６０４でＹｅｓ）、全体制御部２０５は設定値を新しい設定値に更新して該当する格納部に格納する（ステップＳ１６０５）。その後、メール送信制御部２０７において、変更内容を保護者１０３の携帯電話１０４に通知するメールが送信されて（ステップＳ１６０６）、一連の処理が終了する。
【０１１５】
このように、ユーザ操作によって異常なし通知メールの送信間隔を変更可能とすることで、送信間隔を短くして異常の発生の可能性の検出精度を高めたり、送信間隔を長くしてメール通信料金を安く抑えたりすることが可能となる。
【０１１６】
本実施の形態にかかる安否確認システムにおいて上述の処理が実行されることで、携帯電話１０４を利用する保護者１０３は、携帯電話１０２を携帯している被保護者１０１に異常が発生していないということを、異常なし通知メールを受信して知ることができる。そのため、上記メールを所定時間受信しないことで異常が発生している可能性を知ることができる。この方法では、従来の、異常の発生を検出してその旨を通知する方法に比べて異常の発生の可能性が報知されるため、保護者１０３の携帯電話１０４において高い精度で被保護者１０１の異常の発生を知ることができる。また、ネットワークの不都合や、被保護者１０１の携帯電話１０２の充電不足などの影響を受け難いため、保護者１０３の携帯電話１０４において高い精度で被保護者１０１の異常の発生を知ることができる。
【０１１７】
また、本実施の形態にかかるシステムでは通信手段として通常の電子メールを利用するので、既存の設備を利用して本システムを実現することができる。そのため、システム構築のための費用、期間を抑えることができ、利用しやすい。
【０１１８】
また、本実施の形態にかかる安否確認システムでは、キー操作や充電操作など、既存の携帯電話に搭載されている機能を利用して被保護者１０１の異常なしを検出することとしているため、新たな機能を搭載する必要がなく、システム構築のための費用、期間を抑えることができる。
【０１１９】
さらに、上述の被保護者１０１の携帯電話１０２における安否確認に関する処理、および保護者１０３の携帯電話１０４における安否確認に関する処理を実行させるプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な格納媒体にて格納させて、プログラム製品として提供することもできる。あるいは、コンピュータに内蔵するハードディスクなどの格納媒体にて格納させて、プログラムを提供することもできる。また、ネットワークを介したダウンロードによって、プログラムを提供することもできる。
【０１２０】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１２１】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１２２】
提供されるプログラム製品は、ハードディスクなどのプログラム格納部にインストールされて実行される。なお、プログラム製品は、プログラム自体と、プログラムが格納された格納媒体とを含む。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２４】
【図１】実施の形態にかかる安否確認システムの装置構成の具体例を示す図である。
【図２】携帯電話１０２において、安否確認に関する処理を行なうための機能構成の具体例を示すブロック図である。
【図３】携帯電話１０４において、安否確認に関する処理を行なうための機能構成の具体例を示すブロック図である。
【図４】安否確認に関する主な処理の流れを時系列で説明するための図である。
【図５】異常なし通知メールの内容の具体例を示す図である。
【図６】異常なし通知メールの一覧表示の具体例を示す図である。
【図７】携帯電話１０２における、安否確認に関する処理の流れを示すフローチャートである。
【図８】ステップＳ７０２における携帯電話１０２の状態を確認する処理の詳細を示したフローチャートである。
【図９】ステップＳ７０４の異常なし通知メールの送信を一時停止する処理の詳細を示したフローチャートである。
【図１０】ステップＳ７０６における異常なしを検出する処理の詳細を示したフローチャートである。
【図１１】ステップＳ７０８における異常なし通知メールを送信するための処理の詳細を示したフローチャートである。
【図１２】携帯電話１０４における、安否確認に関する処理の流れを示すフローチャートである。
【図１３】ステップＳ１２０２における、受信したメールを振り分ける処理の詳細を示したフローチャートである。
【図１４】ステップＳ１２０４における異常発生判定処理の詳細を示したフローチャートである。
【図１５】ステップＳ１２０５における、異常なし通知メールの一時的な停止の終了を判定する処理の詳細を示したフローチャートである。
【図１６】設定値の確認や変更を行なう際の携帯電話１０２での処理を示したフローチャートである。
【図１７】携帯電話１０２でメール受信イベントが発生したときに開始される処理を示したフローチャートである。
【図１８】被保護者１０１の携帯電話１０２および保護者１０３の携帯電話１０４のハードウェア構成として、一般的な携帯電話のハードウェア構成の具体例を示すブロック図である。
【符号の説明】
【０１２５】
１０１  被保護者、１０２，１０４  携帯電話、１０３  保護者、１０５  通信網、１１０  通信部、１２０  制御部、１３０  記憶部、１４０  入出力部、１４２  キーコード入力デバイス、１４４  ディスプレイ、１４６  マイクロフォン、１４８  スピーカ、１４９  カメラ、１５０  加速度センサ、１６０  現在位置測定装置、２０２  キー制御部、２０３  充電制御部、２０４  異常なし検出部、２０５，３０５  全体制御部、２０６，３０３  時間計測部、２０７，３０２  メール送受信制御部、２０８  異常なし通知メール送信間隔格納部、２０９  送信先アドレス格納部、２１０  異常なし検出有無格納部、２１１，３１２  一時停止設定格納部、２１２  メール格納部、２１３，３０８  異常あり判定時間格納部、２１４  通知メール検出部、２１５  認証処理部、３０６  一般メール格納部、３０７  異常なし通知メール格納部、３０９  メール種別判定部、３１０  異常検出部。
【図１】
2008098744.tif 000003
【図２】
2008098744.tif 000004
【図３】
2008098744.tif 000005
【図４】
2008098744.tif 000006
【図５】
2008098744.tif 000007
【図６】
2008098744.tif 000008
【図７】
2008098744.tif 000009
【図８】
2008098744.tif 000010
【図９】
2008098744.tif 000011
【図１０】
2008098744.tif 000012
【図１１】
2008098744.tif 000013
【図１２】
2008098744.tif 000014
【図１３】
2008098744.tif 000015
【図１４】
2008098744.tif 000016
【図１５】
2008098744.tif 000017
【図１６】
2008098744.tif 000018
【図１７】
2008098744.tif 000019
【図１８】
2008098744.tif 000020